(57)【要約】【課題】移動体自体に動力を必要とせず、しかも該移動体がたくさんの起伏を設けた軌道上を昇降移動することが可能であって、子供から大人まで楽しめる今までにない新規なアトラクション玩具の提供を図る。【解決手段】軌道と該軌道に沿って回転移動する回転体とからなるアトラクション玩具であって、種々の形態に成形されている並列された二本の棒状レール体を所定の間隔で支持体によって支持することで軌道が構成されるとともに、略球体の両脇対称箇所にそれぞれ車輪部を設けることで回転体が構成されることによって、該車輪部が並列する二本の棒状レール体上に置かれて回転体が軌道に沿って回転移動する構成となっている。【選択図】図２
2006314533.tif 000002
【特許請求の範囲】
【請求項１】
軌道と該軌道に沿って回転移動する回転体とからなるアトラクション玩具であって、種々の形態に成形されている並列された二本の棒状レール体を所定の間隔で支持体によって支持することで軌道が構成されるとともに、略球体の両脇対称箇所にそれぞれ車輪部を設けることで回転体が構成されることによって、該車輪部が並列する二本の棒状レール体上に置かれて回転体が軌道に沿って回転移動することを特徴とするアトラクション玩具。
【請求項２】
前記車輪部の先端に、軌道外れ防止枠を備えたことを特徴とする請求項１に記載のアトラクション玩具。
【請求項３】
前記車輪部の形状を、テーパー状に成形したことを特徴とする請求項１または請求項２に記載のアトラクション玩具。
【請求項４】
前記棒状レール体並びに車輪部を鉄製とするとともに、該車輪部内に磁石を装備させたことを特徴とする請求項１から請求項３のいずれかに記載のアトラクション玩具。
【請求項５】
前記棒状レール体を鉄製とするとともに、車輪部を磁石製としたことを特徴とする請求項１から請求項３のいずれかに記載のアトラクション玩具。
【発明の詳細な説明】
【技術分野】
【０００１】
本発明は、所定の軌道上において回転体を回転移動させて遊ぶアトラクション玩具に関するものである。
【背景技術】
【０００２】
従来より、子供や大人までを対象とする玩具として、多種多様のものが発明・考案されており、その中でも軌道上を移動するアトラクション玩具については、種々の提案がなされている。そして、かかる玩具の分野は日々進歩しており、人々は時代の移り変わりとともに、今までにない新しい玩具を欲するようになるのが現状である。
【０００３】
しかしながら、今までに提案されてきたアトラクション玩具は、所定の平面上に軌道を敷いて、例えば自動車や列車の模型といった動力を有する移動体が該軌道上を移動するものがほとんどであり、多少の起伏を設けることはできたとしても、大きな起伏を設けることは移動体自体に大きな動力を必要とするため難しく、現に大きな起伏を設けたアトラクション玩具はあまり存在しない。
【特許文献１】特開２００４−２６１４９５号公報
【特許文献２】特開２００３−１０５６２号公報
【特許文献３】特開２０００−３４２８６１号公報
【特許文献４】特開平８−２３８３８５号公報
【特許文献５】実用新案登録第３０７５７１４号公報
【発明の開示】
【発明が解決しようとする課題】
【０００４】
上記問題点に鑑み、本発明は、移動体自体に動力を必要とせず、しかも該移動体がたくさんの起伏を設けた軌道上を移動することが可能であって、子供から大人まで楽しめる今までにない新規なアトラクション玩具を提供することを目的とする。
【課題を解決するための手段】
【０００５】
前記目的を達成するため、本発明は、軌道と該軌道に沿って回転移動する回転体とからなるアトラクション玩具であって、種々の形態に成形されている並列された二本の棒状レール体を所定の間隔で支持体によって支持することで軌道が構成されるとともに、略球体の両脇対称箇所にそれぞれ車輪部を設けることで回転体が構成されることによって、該車輪部が並列する二本の棒状レール体上に置かれて回転体が軌道に沿って回転移動する構成となっている。
【０００６】
また、本発明は、前記車輪部の先端に、軌道外れ防止枠を備えた構成とすることができる。
【０００７】
さらに、本発明は、前記車輪部の形状を、テーパー状に成形した構成を採用することもできる。
【０００８】
またさらに、本発明は、前記棒状レール体並びに車輪部を鉄製とするとともに、該車輪部内に磁石を装備させた構成を採ることもできる。
【０００９】
そしてまた、本発明は、前記棒状レール体を鉄製とするとともに、車輪部を磁石製とした構成を採用することもできる。
【発明の効果】
【００１０】
本発明にかかるアトラクション玩具によれば、従来のほとんどのアトラクション玩具について必要であった移動体の動力が不要となり、それにもかかわらず、従来成しえなかった起伏の激しい軌道上を該移動体が移動することが可能となって、今までにない新規な玩具として、子供から大人まで多くの人たちが楽めるアトラクション玩具を提供することができる。
【発明を実施するための最良の形態】
【００１１】
以下、本発明にかかるアトラクション玩具の実施形態を図面に基づいて説明する。
【００１２】
図１及び図２は、本発明にかかるアトラクション玩具の実施形態を示しており、図１は該アトラクション玩具全体を示す斜視図、図２は一部拡大図である。該アトラクション玩具は、軌道１と該軌道１に沿って回転移動する回転体５とから構成されており、軌道１については、種々の形態に成形されている並列された二本の棒状レール体１ａ・１ｂを、所定の間隔で支持体２によって支持している構成となっている。また、回転体５については、略球体６の両脇対称箇所にそれぞれ車輪部７を設けた構成となっている。
【００１３】
前記軌道１について、あらかじめ決められた所定のコース形態に一体的に成形されたものとすることもできるし、あるいは、直線やカーブ、上りや下り等、種々の形態のパーツの集合として、遊戯者の発想に基づき自由にコースを設定できるようにすることも可能である。尚、後者の場合に、パーツ同士を連結するための構造について特に限定はなく、従前の軌道連結構造を用いればよい。
【００１４】
二本の棒状レール体１ａ・１ｂを所定の間隔で支持する支持体２の構造について、特に限定するものではないが、図面では二本の棒状レール体１ａ・１ｂを結ぶ連結帯３と該連結帯３から下部へ伸びる支持軸４とからなる構成を採用した場合を示している。かかる構成を採用した場合、連結帯３と支持軸４とを一体成型にするか、あるいは別体のものとするかは自由である。尚、別体とすれば、上記自由にコースを設定する際、軌道１の起伏に合わせて支持軸４の高さを可変することも可能となる。
【００１５】
前記回転体５は、略球体６の両脇対称箇所にそれぞれ車輪部７を設けた構成となっているが、略球体６の材質について、特に限定するものではない。ただし、コストや遊戯者の安全面等を考慮すると、プラスチック等の合成樹脂製とすることが考えられる。また、該車輪部７の形状については、棒状レール体１ａ・１ｂ上を回転する関係上、略円柱形状あるいは後述するテーパー状とし、略球体６に対して取り付け固定される。すなわち、本発明にかかる回転体５は、略球体６と車輪部７とが共に回転することで軌道１上を回転移動するものであって、車輪部７のみが回転することで該回転体５が軌道１上を移動するものではない。
【００１６】
かかる車輪部７について、その先端には、軌道外れ防止枠８を備えることが望ましい。本発明にかかるアトラクション玩具は、回転体５が高速あるいは低速で所定の軌道１上を回転移動するため、該回転体５が例えば軌道１上のカーブに差し掛かった際に、回転体５の速度如何で車輪部７が棒状レール体１ａ・１ｂから外れる可能性があるため、軌道外れ防止枠８を備えた方がよい。かかる構成を採ることにより、車輪部７が棒状レール体１ａ・１ｂから外れることを防止でき、遊戯時の安全性を確保することができる。
【００１７】
そしてまた、車輪部７の形状について、上記の通りテーパー状に成形することも考え得る。かかる形状とすることにより、車輪部７が棒状レール体１ａ・１ｂから外れることを防止して遊戯時の安全性を図れ、さらには、二本の棒状レール体１ａ・１ｂの間隔幅を拡げたり狭めたりすることで、例えば勾配のない軌道１上においても回転体５が回転移動することとなり、軌道１のコースをレイアウトするにあたって幅が拡がるという効果を奏する。
【００１８】
尚、上記構成からなるアトラクション玩具において、前記棒状レール体１ａ・１ｂ並びに車輪部７を鉄製とするとともに該車輪部７内に磁石を装備させる構成、あるいは、棒状レール体１ａ・１ｂを鉄製とするとともに車輪部７自体を磁石製とする構成を採用することも可能である。かかる構成とすることにより、該棒状レール体１ａ・１ｂと車輪部７とが磁力によって常に接触しつつ回転体５が軌道１上を回転移動することができるため、車輪部７が棒状レール体１ａ・１ｂから外れることを防止する効果を有するとともに、例えば転回や急カーブ等といった複雑なコースレイアウトであっても回転体５が軌道１から外れることがなくなって、遊戯時の安全性を図ることができ、さらには、該軌道１のコースをレイアウトするにあたって幅が拡がるという効果を奏する。
【００１９】
このように、上記構成からなるアトラクション玩具によれば、動力を必要とせずに回転体５が回転移動可能であって、しかも、軌道１について多様なバリエーションのコースレイアウトとすることができ、今までにない新規な玩具として、子供から大人まで多くの人たちが楽むことができるアトラクション玩具を提供することが可能となる。
【図面の簡単な説明】
【００２０】
【図１】本発明にかかるアトラクション玩具を示す斜視図である。
【図２】本発明にかかるアトラクション玩具を示す部分拡大図である。
【符号の説明】
【００２１】
１    軌道
１ａ  棒状レール体
１ｂ  棒状レール体
２    支持体
３    連結帯
４    支持軸
５    回転体
６    略球体
７    車輪部
８    軌道外れ防止枠
【図１】
2006314533.tif 000003
【図２】
2006314533.tif 000004